Podtech/llm-jp-corpus-v4-ja_patent huggingface dataset:
【手続補正書】
【提出日】平成27年10月29日(2015.10.29)
【手続補正１】
【補正対象書類名】明細書
【補正対象項目名】０００１
【補正方法】変更
【補正の内容】
【０００１】
本発明は、乱数生成手段が生成した乱数値を遊技制御に利用する遊技機に関する。
【手続補正２】
【補正対象書類名】明細書
【補正対象項目名】０００５
【補正方法】変更
【補正の内容】
【０００５】
しかしながら、従来の遊技機では所定の乱数値の狙い撃ちが可能となって、公正さに欠けるという課題がある。
【手続補正３】
【補正対象書類名】明細書
【補正対象項目名】０００６
【補正方法】変更
【補正の内容】
【０００６】
本発明は、所定の乱数値の狙い撃ちを防止し、遊技の公正さを確保することを目的とする。
【手続補正４】
【補正対象書類名】明細書
【補正対象項目名】０００７
【補正方法】変更
【補正の内容】
【０００７】
上記課題を解決するために、請求項１に記載の発明は、
始動条件の成立に基づき、複数の識別情報を変動表示する変動表示ゲームを実行し、該変動表示ゲームの結果態様が予め定めた特別結果態様となった場合に、遊技者に所定の遊技価値を付与可能な特別遊技状態を発生可能な遊技機において、
遊技盤の遊技領域内へ遊技球を発射する発射手段と、
遊技の進行を制御する遊技制御手段と、
前記遊技制御手段での制御に利用する乱数値を生成する乱数生成手段と、
前記遊技領域内に設けられ、遊技球の入賞を第１始動条件とする第１始動入賞領域と、
前記遊技領域内に前記第１始動入賞領域とは別に設けられ、遊技球の入賞を第２始動条件とする第２始動入賞領域と、
前記遊技領域に設けられ、遊技球が入球可能な普図始動入球領域と、
前記普図始動入球領域への遊技球の入球に基づき、普通図柄を変動表示する普図変動ゲームを行うとともに、前記普図変動ゲームの結果が特定結果となるか否かの抽選を行い、該抽選による前記普図変動ゲームの結果を、所定の変動時間で停止表示する普図制御手段と、を備え、
前記遊技制御手段は、前記乱数生成手段が生成する乱数値を任意のタイミングで取得し、取得した乱数値を遊技制御に利用し、
前記普図制御手段は、
前記特別遊技状態の終了後、所定の条件を満たしていた場合には、遊技者に有利な抽選確率である普図高確状態で抽選する一方で、前記所定の条件を満たしていない場合には、普図低確状態で抽選し、
前記普図変動ゲームの結果が特定結果となった場合に、前記第２始動入賞領域を遊技球の入賞し易い状態にする特定状態を発生させ、
前記発射手段は、所定の発振周波数に基づいた発射周期で遊技球の発射を行い、
前記乱数生成手段で生成される乱数値の範囲は、前記発射周期と前記乱数生成手段ですべての乱数値が生成される周期との同期間隔が、前記第１始動入賞領域への入賞に対応する第１変動表示ゲームの最大変動時間よりも長く、かつ前記第２始動入賞領域への入賞に対応する第２変動表示ゲームの最大変動時間よりも長くなるように設定され、
前記乱数生成手段で生成される乱数値の範囲に対応して前記乱数生成手段ですべての乱数値が生成される周期が決定されることを特徴とする。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
本発明によれば、所定の乱数値の狙い撃ちを防止し、遊技の公正さを確保することができるという効果がある。
【手続補正１１】
【補正対象書類名】特許請求の範囲
【補正対象項目名】全文
【補正方法】変更
【補正の内容】
【特許請求の範囲】
【請求項１】
始動条件の成立に基づき、複数の識別情報を変動表示する変動表示ゲームを実行し、該変動表示ゲームの結果態様が予め定めた特別結果態様となった場合に、遊技者に所定の遊技価値を付与可能な特別遊技状態を発生可能な遊技機において、
遊技盤の遊技領域内へ遊技球を発射する発射手段と、
遊技の進行を制御する遊技制御手段と、
前記遊技制御手段での制御に利用する乱数値を生成する乱数生成手段と、
前記遊技領域内に設けられ、遊技球の入賞を第１始動条件とする第１始動入賞領域と、
前記遊技領域内に前記第１始動入賞領域とは別に設けられ、遊技球の入賞を第２始動条件とする第２始動入賞領域と、
前記遊技領域に設けられ、遊技球が入球可能な普図始動入球領域と、
前記普図始動入球領域への遊技球の入球に基づき、普通図柄を変動表示する普図変動ゲームを行うとともに、前記普図変動ゲームの結果が特定結果となるか否かの抽選を行い、該抽選による前記普図変動ゲームの結果を、所定の変動時間で停止表示する普図制御手段と、を備え、
前記遊技制御手段は、前記乱数生成手段が生成する乱数値を任意のタイミングで取得し、取得した乱数値を遊技制御に利用し、
前記普図制御手段は、
前記特別遊技状態の終了後、所定の条件を満たしていた場合には、遊技者に有利な抽選確率である普図高確状態で抽選する一方で、前記所定の条件を満たしていない場合には、普図低確状態で抽選し、
前記普図変動ゲームの結果が特定結果となった場合に、前記第２始動入賞領域を遊技球の入賞し易い状態にする特定状態を発生させ、
前記発射手段は、所定の発振周波数に基づいた発射周期で遊技球の発射を行い、
前記乱数生成手段で生成される乱数値の範囲は、前記発射周期と前記乱数生成手段ですべての乱数値が生成される周期との同期間隔が、前記第１始動入賞領域への入賞に対応する第１変動表示ゲームの最大変動時間よりも長く、かつ前記第２始動入賞領域への入賞に対応する第２変動表示ゲームの最大変動時間よりも長くなるように設定され、
前記乱数生成手段で生成される乱数値の範囲に対応して前記乱数生成手段ですべての乱数値が生成される周期が決定されることを特徴とする遊技機。
【手続補正書】
【提出日】平成27年2月24日(2015.2.24)
【手続補正１】
【補正対象書類名】特許請求の範囲
【補正対象項目名】全文
【補正方法】変更
【補正の内容】
【特許請求の範囲】
【請求項１】
細胞培養上清中で異種タンパク質を分泌する哺乳動物細胞を培養する方法であって、ここで、該細胞培養上清は、Ｘ±０．０５に設定されるｐＨで維持され、ここではＸは７．１５から７．２０までの値を有し、ただし該ｐＨは７．１０より大きく設定され、ここで、該細胞培養は、１．４×１０６細胞／ｍｌ〜２．８×１０６細胞／ｍｌの密度に維持される連続培養である、方法。
【請求項２】
前記ｐＨが７．２０±０．０５に設定される、請求項１に記載の方法。
【請求項３】
細胞培養上清中で異種タンパク質を分泌する哺乳動物細胞を培養する方法であって、ここで、該細胞培養上清は、１〜１０％の溶存ＣＯ２濃度を有し、ここで、該細胞培養は、１．４×１０６細胞／ｍｌ〜２．８×１０６細胞／ｍｌの密度に維持される連続培養である、方法。
【請求項４】
前記ＣＯ２濃度が４．０〜９．０％である、請求項３に記載の方法。
【請求項５】
請求項３に記載の方法であって、前記細胞培養上清が、Ｘ±０．９℃に設定される温度で維持され、ここではＸは３５．１から３６．５までの値を有し、ただし該温度は３７℃未満に設定される、方法。
【請求項６】
前記温度が３６．０±０．９℃に設定される、請求項５に記載の方法。
【請求項７】
請求項３または５に記載の方法であって、ここで、前記細胞培養上清は、Ｘ±０．５に設定されるｐＨで維持され、ここではＸは、７．１５から７．２０までの値を有し、ただし該ｐＨは７．１０より大きく設定される、方法。
【請求項８】
前記細胞培養上清が重炭酸塩で緩衝化される、請求項１〜７のいずれか１項に記載の方法。
【請求項９】
前記上清に空気がスパージングされる、請求項１〜８のいずれか１項に記載の方法。
【請求項１０】
前記異種タンパク質が血中タンパク質である、請求項１〜９のいずれか１項に記載の方法。
【請求項１１】
前記異種タンパク質が第ＶＩＩＩ因子である、請求項２または３に記載の方法。
【請求項１２】
前記第ＶＩＩＩ因子がフォン・ヴィレブランド因子と同時に発現させられる、請求項１１に記載の方法。
【請求項１３】
前記細胞培養上清中でのＣｕ２＋の濃度が、少なくとも５ｐｐｂである、請求項１〜１２のいずれか１項に記載の方法。
【請求項１４】
前記異種タンパク質がＡＤＡＭＴＳ−１３、フューリン、または、第ＶＩＩ因子である、請求項２または３に記載の方法。
【請求項１５】
前記哺乳動物細胞が、ＣＨＯ細胞またはＢＨＫ細胞のような齧歯類の細胞である、請求項１〜１４のいずれか１項に記載の方法。
【請求項１６】
前記連続培養が、ケモスタット培養、またはタービドスタット培養である、請求項１〜１４のいずれか１項に記載の方法。
【請求項１７】
請求項１または３に記載の方法であって、ここで、前記異種タンパク質を分泌する哺乳動物細胞が第ＶＩＩＩ因子を分泌し、該第ＶＩＩＩ因子を分泌する哺乳動物細胞が細胞培養上清を含む容器中で培養され、ここで、該細胞培養上清中の細胞の密度はインラインセンサーによって測定され、該容器への新鮮な培地の流入は、所望される範囲内に細胞の密度を維持するように自動的に制御される、方法。
【手続補正書】
【提出日】平成27年2月9日(2015.2.9)
【手続補正１】
【補正対象書類名】特許請求の範囲
【補正対象項目名】全文
【補正方法】変更
【補正の内容】
【特許請求の範囲】
【請求項１】
第１演出手段を制御する第１制御手段と、
第２演出手段を制御する第２制御手段と、
を備え、
前記第２制御手段は、
所定の開始契機となった場合に、特定継続期間において前記第２演出手段にて特定範囲演出を実行させる第２側実行手段と、
前記所定の開始契機となった場合に、前記第２演出手段にて前記特定範囲演出を実行させるために用いられる特定制御情報群を設定する第２側設定手段と、
を備え、
前記第１制御手段は、
前記特定継続期間において前記第１演出手段にて前記特定範囲演出に対応した演出を実行させる第１側実行手段と、
前記特定継続期間中において前記第１演出手段にて演出を実行させるために用いられる制御情報群を設定する第１側設定手段と、
を備え、
当該第１側設定手段は、前記特定継続期間中に実行される演出の全体に対応した分の制御情報群を一度に設定するのではなく、前記第２制御手段が前記特定継続期間中の各タイミングで送信情報を送信したことを契機として、前記特定継続期間中に実行される演出の一部分に対応した制御情報群を設定する手段を備えていることを特徴とする遊技機。
【請求項２】
前記特定範囲演出には、演出の態様が相違する複数の演出範囲を含み得る構成であり、
前記一部分に対応した制御情報群は、前記複数の演出範囲に対応させて設定されていることを特徴とする請求項１に記載の遊技機。
【請求項３】
前記特定制御情報群には、前記特定継続期間中における各制御実行タイミングでの制御内容を特定可能な情報が含まれており、これら制御実行タイミングに対応させて、前記第１制御手段に向けて送信する送信情報の送信タイミングが含まれていることを特徴とする請求項１又は２に記載の遊技機。
【請求項４】
前記第２側実行手段は、前記所定の開始契機となったことで前記第１制御手段が送信情報を送信した場合に、前記特定継続期間において前記第２演出手段にて前記特定範囲演出を実行させるものであり、
前記第２側設定手段は、前記所定の開始契機となったことで前記第１制御手段が送信情報を送信した場合に、前記特定制御情報群を設定するものであることを特徴とする請求項１乃至３のいずれか１に記載の遊技機。
【請求項５】
前記第１側設定手段は、前記所定の開始契機となったことで前記第１制御手段が送信情報を送信したことに対して、前記特定範囲演出を開始させることに対応した送信情報を前記第２制御手段が送信した場合に、当該特定範囲演出の開始に対応した所定制御情報群を設定する手段を備え、
前記第１側実行手段は、前記第１側設定手段が前記所定制御情報群を設定した後に、前記特定範囲演出に対応した演出を開始させるものであることを特徴とする請求項４に記載の遊技機。
【請求項６】
前記第１制御手段は、
報知対象事象の発生を特定する報知用特定手段と、
当該報知用特定手段において報知対象事象の発生が特定された場合に、報知発生情報を前記第２制御手段に向けて送信する報知用送信手段と、
前記報知用特定手段において報知対象事象の発生が特定された場合に、前記第２制御手段が送信情報を送信したか否かに関係なく、前記第１演出手段にて報知を行わせる報知実行手段と、
を備えていることを特徴とする請求項５に記載の遊技機。
【請求項７】
前記第２演出手段は、表示面を有する表示手段であることを特徴とする請求項１乃至６のいずれか１に記載の遊技機。
【手続補正２】
【補正対象書類名】明細書
【補正対象項目名】０００７
【補正方法】変更
【補正の内容】
【０００７】
上記課題を解決すべく請求項１記載の発明は、第１演出手段を制御する第１制御手段と、
第２演出手段を制御する第２制御手段と、
を備え、
前記第２制御手段は、
所定の開始契機となった場合に、特定継続期間において前記第２演出手段にて特定範囲演出を実行させる第２側実行手段と、
前記所定の開始契機となった場合に、前記第２演出手段にて前記特定範囲演出を実行させるために用いられる特定制御情報群を設定する第２側設定手段と、
を備え、
前記第１制御手段は、
前記特定継続期間において前記第１演出手段にて前記特定範囲演出に対応した演出を実行させる第１側実行手段と、
前記特定継続期間中において前記第１演出手段にて演出を実行させるために用いられる制御情報群を設定する第１側設定手段と、
を備え、
当該第１側設定手段は、前記特定継続期間中に実行される演出の全体に対応した分の制御情報群を一度に設定するのではなく、前記第２制御手段が前記特定継続期間中の各タイミングで送信情報を送信したことを契機として、前記特定継続期間中に実行される演出の一部分に対応した制御情報群を設定する手段を備えていることを特徴とする。
【手続補正書】
【提出日】平成27年9月16日(2015.9.16)
【手続補正１】
【補正対象書類名】特許請求の範囲
【補正対象項目名】請求項１
【補正方法】変更
【補正の内容】
【請求項１】
実時間を計時するＲＴＣと、第１接続部とを少なくとも備えた第１基板と、
前記ＲＴＣの計時内容を用いて各種制御を行うＣＰＵと、第２接続部とを少なくとも備えた第２基板とを有し、
前記第１基板と前記第２基板とを接続するにあたって、前記第１接続部と前記第２接続部とを接続し、
前記第１基板と前記ＲＴＣの設定を外部から行うことが可能な外部設定装置とを接続するにあたって、前記第１接続部と前記第２接続部との接続を解除し、該第１接続部に、前記外部設定装置を接続可能としたことを特徴とする遊技機。
【手続補正２】
【補正対象書類名】明細書
【補正対象項目名】０００７
【補正方法】変更
【補正の内容】
【０００７】
請求項１の発明によれば、実時間を計時するＲＴＣ（ＲＴＣモジュール部９００）と、第１接続部（接続用コネクタ９０ａ〜９０ｂ）とを少なくとも備えた第１基板（演出Ｉ／Ｆ基板９０）と、
前記ＲＴＣ（ＲＴＣモジュール部９００）の計時内容を用いて各種制御を行うＣＰＵ（演出制御ＣＰＵ８００）と、第２接続部（接続用コネクタ８０ａ〜８０ｂ）とを少なくとも備えた第２基板（演出制御基板８０）とを有し、
前記第１基板（演出Ｉ／Ｆ基板９０）と前記第２基板（演出制御基板８０）とを接続するにあたって、前記第１接続部（接続用コネクタ９０ａ〜９０ｂ）と前記第２接続部（接続用コネクタ８０ａ〜８０ｂ）とを接続し、
前記第１基板（演出Ｉ／Ｆ基板９０）と前記ＲＴＣ（ＲＴＣモジュール部９００）の設定を外部から行うことが可能な外部設定装置（２００）とを接続するにあたって、前記第１接続部（接続用コネクタ９０ａ〜９０ｂ）と前記第２接続部（接続用コネクタ８０ａ〜８０ｂ）との接続を解除し、該第１接続部（接続用コネクタ９０ａ〜９０ｂ）に、前記外部設定装置（２００）を接続可能としたことを特徴としている。
【手続補正書】
【提出日】平成27年1月14日(2015.1.14)
【手続補正１】
【補正対象書類名】特許請求の範囲
【補正対象項目名】全文
【補正方法】変更
【補正の内容】
【特許請求の範囲】
【請求項１】
所定条件の成立に基づいて有利な有利状態に制御可能である遊技機であって、
特定演出が実行されることを示唆する示唆識別情報をリーチ態様であるときに停止表示可能な表示手段を備え、
前記示唆識別情報が第１タイミングにおいて停止表示した場合と、前記示唆識別情報が第１タイミングで停止表示しなかったときに到来した第２タイミングにおいて停止表示した場合とで、有利状態に制御される割合が異なることを特徴とする遊技機。
【手続補正２】
【補正対象書類名】明細書
【補正対象項目名】０００７
【補正方法】変更
【補正の内容】
【０００７】
（１）上記目的を達成するため、本発明の一態様である遊技機は、
所定条件の成立（例えば、大当り図柄や小当り図柄となる確定特別図柄の導出表示、大当り組合せや開放チャンス目となる確定飾り図柄の導出表示など、又は、ビッグボーナスやレギュラーボーナスやＡＲＴの当選など）に基づいて有利な有利状態（例えば、大当り遊技状態、小当り遊技状態、突確、ビッグボーナス、レギュラーボーナス、ＡＲＴなど）に制御可能である遊技機（例えば遊技機１やパチスロ機など）であって、特定演出（例えば、図２２のスーパーリーチαなど）が実行されることを示唆する示唆識別情報（例えば、キャラクタ図柄「子供」など）をリーチ態様であるときに停止表示可能な表示手段（例えば、変動パターン「ＰＡ２−２２」、変動パターン「ＰＢ１−２２」などが決定されることなどにより実現される処理）を備え、前記示唆識別情報が第１タイミングにおいて停止表示した場合（例えば、変動パターン「ＰＡ２−２２」、変動パターン「ＰＢ１−２２」などが決定される場合）と、前記示唆識別情報が第１タイミングで停止表示しなかったときに到来した第２タイミングにおいて停止表示した場合（例えば、変動パターン「ＰＡ２−２３」、変動パターン「ＰＢ１−２３」などが決定される場合）とで、有利状態に制御される割合（例えば大当り期待度など）が異なることを特徴とする。
このような構成によれば、第２タイミングにおいて示唆識別情報が停止表示され得るので、遊技者の期待感を持続させることができる。
【手続補正３】
【補正対象書類名】明細書
【補正対象項目名】０００８
【補正方法】変更
【補正の内容】
【０００８】
（２）上記（１）の遊技機において、
前記示唆識別情報が第１タイミングにおいて停止表示した場合に比べ、第２タイミングにおいて停止表示した場合の方が、有利状態に制御される割合が高くなるようにしてもよい。
このような構成によれば、遊技者の期待感をより持続させることができる。
【手続補正４】
【補正対象書類名】明細書
【補正対象項目名】０００９
【補正方法】変更
【補正の内容】
【０００９】
（３）上記（１）または（２）の遊技機において、
前記特定演出には、有利状態に制御される割合が異なる複数種類（例えば、図２２のスーパーリーチα、図２３のスーパーリーチβなど）があり、前記表示手段は、夫々の前記特定演出が実行されることを示唆する複数種類の前記示唆識別情報（例えば、スーパーリーチαの実行を示唆するキャラクタ図柄「子供」、スーパーリーチβの実行を示唆するキャラクタ図柄「お爺さん」）のうちいずれかを停止表示可能であってもよい。
このような構成によれば、遊技興趣が向上する。
【手続補正５】
【補正対象書類名】明細書
【補正対象項目名】００１０
【補正方法】変更
【補正の内容】
【００１０】
（４）上記（１）から（３）のいずれかの遊技機において、
前記表示手段は、停止表示される割合が異なる複数種類の前記示唆識別情報（例えば、通常色（例えば、黒色や白色や緑色など）のキャラクタ図柄と、通常色と上記割合が異なる特別色（例えば、赤色や金色など）のキャラクタ図柄）のうち１以上を可変表示可能であってもよい。
このような構成によれば、遊技興趣が向上する。
【手続補正６】
【補正対象書類名】明細書
【補正対象項目名】００１１
【補正方法】変更
【補正の内容】
【００１１】
（５）上記（１）から（４）のいずれかの遊技機において、
前記表示手段は、
リーチ態様であるときに停止表示した場合に有利状態に制御される識別情報（例えば、リーチ図柄となっている数字図柄）を停止表示可能であり、前記示唆識別情報が停止表示した場合（例えば、スーパーリーチαに発展し、大当りとなる場合など）と、リーチ態様であるときに停止表示した場合に有利状態に制御される識別情報が停止表示した場合（即ち、リーチ図柄となっている数字図柄が停止表示し、直接、大当りになる場合）とで、異なる価値（例えば、確変、非確変など）が遊技者に付与されるようにしてもよい。
このような構成によれば、遊技興趣が向上する。
【手続補正書】
【提出日】平成27年11月7日(2015.11.7)
【手続補正１】
【補正対象書類名】特許請求の範囲
【補正対象項目名】請求項１
【補正方法】変更
【補正の内容】
【請求項１】
始動検出手段と、開閉式の可変入賞口であって、開放したときにのみ入球が可能な大入賞口とを遊技領域に備え、該遊技領域に向けて発射された遊技球が前記始動検出手段に検出されたことに起因して抽出された乱数に基づいて当否判定を実行する当否判定手段と、該当否判定手段により当りと判定されると、前記大入賞口の開閉動作を複数回行なう大当り遊技を実行する特別遊技実行手段と、を備えた弾球遊技機において、
前記遊技領域に向けて発射され、前記大入賞口に入球していない遊技球を貯留可能な貯留部と、
該貯留部から流出した遊技球のみを検出可能な第１役物連続作動検出手段と、
前記貯留部から流出した遊技球のみを検出可能であって、前記第１役物連続作動検出手段とは異なる位置に設けられた第２役物連続作動検出手段と、
遊技者から操作を受けるための操作手段と、
前記貯留部に貯留された遊技球を、前記第１役物連続作動検出手段に向けて流出させる流出動作、および前記第２役物連続作動検出手段に向けて流出させる流出動作の、何れを行なうかを、少なくとも該操作手段を介して行なわれた前記操作に基づいて決定する貯留部制御手段と、
前記当否判定手段によって当りと判定されてから、該判定に対応する前記大当り遊技における前記大入賞口の開閉動作の回数が決定されるまでの状態において、前記第１役物連続作動検出手段および前記第２役物連続作動検出手段の何れによって遊技球が検出されたかに基づいて、該判定に対応する前記大当り遊技における前記大入賞口の開閉動作の回数を、それぞれ異なる値に決定する開閉回数決定手段と、
を備えたことを特徴とする弾球遊技機。 
【手続補正２】
【補正対象書類名】特許請求の範囲
【補正対象項目名】請求項５
【補正方法】変更
【補正の内容】
【請求項５】
請求項１から４の何れか１項に記載の弾球遊技機において、
前記大入賞口、前記第１役物連続作動検出手段、及び前記第２役物連続作動検出手段は、前記第１役物連続作動検出手段に検出された遊技球、および前記第２役物連続作動検出手段により検出された遊技球が、開放された前記大入賞口に流入可能な配置にされており、
前記貯留部は、前記流出動作中も当該貯留部に遊技球が流入可能なものであり、
前記貯留部制御手段は、前記大当り遊技の間も前記流出動作を行なうものであることを特徴とする弾球遊技機。
【手続補正３】
【補正対象書類名】明細書
【補正対象項目名】０００６
【補正方法】変更
【補正の内容】
【０００６】
上記課題を解決するためになされた請求項１記載の本発明は、始動検出手段と、開閉式の可変入賞口であって、開放したときにのみ入球が可能な大入賞口とを遊技領域に備え、該遊技領域に向けて発射された遊技球が前記始動検出手段に検出されたことに起因して抽出された乱数に基づいて当否判定を実行する当否判定手段と、該当否判定手段により当りと判定されると、前記大入賞口の開閉動作を複数回行なう大当り遊技を実行する特別遊技実行手段と、を備えた弾球遊技機において、前記遊技領域に向けて発射され、前記大入賞口に入球していない遊技球を貯留可能な貯留部と、該貯留部から流出した遊技球のみを検出可能な第１役物連続作動検出手段と、前記貯留部から流出した遊技球のみを検出可能であって、前記第１役物連続作動検出手段とは異なる位置に設けられた第２役物連続作動検出手段と、遊技者から操作を受けるための操作手段と、前記貯留部に貯留された遊技球を、前記第１役物連続作動検出手段に向けて流出させる流出動作、および前記第２役物連続作動検出手段に向けて流出させる流出動作の、何れを行なうかを、少なくとも該操作手段を介して行なわれた前記操作に基づいて決定する貯留部制御手段と、前記当否判定手段によって当りと判定されてから、該判定に対応する前記大当り遊技における前記大入賞口の開閉動作の回数が決定されるまでの状態において、前記第１役物連続作動検出手段および前記第２役物連続作動検出手段の何れによって遊技球が検出されたかに基づいて、該判定に対応する前記大当り遊技における前記大入賞口の開閉動作の回数を、それぞれ異なる値に決定する開閉回数決定手段とを備えたことを特徴とする。
【手続補正４】
【補正対象書類名】明細書
【補正対象項目名】００１４
【補正方法】変更
【補正の内容】
【００１４】
請求項５に記載の本発明は、請求項１から４の何れか１項に記載の弾球遊技機において、前記大入賞口、前記第１役物連続作動検出手段、及び前記第２役物連続作動検出手段は、前記第１役物連続作動検出手段に検出された遊技球、および前記第２役物連続作動検出手段により検出された遊技球が、開放された前記大入賞口に流入可能な配置にされており、前記貯留部は、前記流出動作中も当該貯留部に遊技球が流入可能なものであり、前記貯留部制御手段は、前記大当り遊技の間も前記流出動作を行なうものであることを特徴とする。
【手続補正書】
【提出日】平成26年12月26日(2014.12.26)
【手続補正１】
【補正対象書類名】特許請求の範囲
【補正対象項目名】全文
【補正方法】変更
【補正の内容】
【特許請求の範囲】
【請求項１】
検知範囲における磁界を検知する磁気センサと、
設定用操作手段への操作に基づき、前記検知範囲を設定する設定手段を備えたことを特徴とする遊技機。
【請求項２】
遊技球の入賞検知を契機に出力される入賞検知信号に基づき、各種遊技演出に係わる処理を実行する制御基板と、
検知範囲における磁界検知を契機に前記磁気センサから出力される磁気検知信号を、前記制御基板に中継する中継基板を備え、
前記中継基板に、前記設定用操作手段が配置されており、前記設定用操作手段が操作された場合には、前記設定用操作手段は、操作内容を前記磁気センサに出力し、
前記磁気センサは、入力した設定用操作手段の操作内容に基づき、前記検知範囲を設定することを特徴とする請求項１に記載の遊技機。
【請求項３】
遊技球が入賞可能に構成された始動入賞口と、
開閉動作を行う大入賞口用開閉手段を有し、当該大入賞口用開閉手段が大当り遊技中に開閉動作を行う大入賞口と、
前記始動入賞口へ入賞した遊技球を検知したことを契機に図柄変動ゲームの始動条件を付与する始動入賞口検知手段と、
前記大入賞口に入賞した遊技球を検知したことを契機に賞球払出条件を付与する大入賞口検知手段を備え、
前記磁気センサは、前記始動入賞口及び前記大入賞口のうち全てを検知範囲とする第１範囲と、前記始動入賞口及び前記大入賞口のうち少なくとも一部を検知範囲とし、且つ、前記第１範囲よりも範囲が狭い第２範囲を、少なくとも設定可能に構成されていることを特徴とする請求項１又は請求項２に記載の遊技機。
【手続補正２】
【補正対象書類名】明細書
【補正対象項目名】０００７
【補正方法】変更
【補正の内容】
【０００７】
上記問題点を解決する遊技機は、検知範囲における磁界を検知する磁気センサと、設定用操作手段への操作に基づき、前記検知範囲を設定する設定手段を備えたことを要旨とする。
【手続補正３】
【補正対象書類名】明細書
【補正対象項目名】０００８
【補正方法】変更
【補正の内容】
【０００８】
また、上記遊技機において、遊技球の入賞検知を契機に出力される入賞検知信号に基づき、各種遊技演出に係わる処理を実行する制御基板と、検知範囲における磁界検知を契機に前記磁気センサから出力される磁気検知信号を、前記制御基板に中継する中継基板を備え、前記中継基板に、前記設定用操作手段が配置されており、前記設定用操作手段が操作された場合には、前記設定用操作手段は、操作内容を前記磁気センサに出力し、前記磁気センサは、入力した設定用操作手段の操作内容に基づき、前記検知範囲を設定するようにしてもよい。
【手続補正４】
【補正対象書類名】明細書
【補正対象項目名】０００９
【補正方法】変更
【補正の内容】
【０００９】
また、上記遊技機において、遊技球が入賞可能に構成された始動入賞口と、開閉動作を行う大入賞口用開閉手段を有し、当該大入賞口用開閉手段が大当り遊技中に開閉動作を行う大入賞口と、前記始動入賞口へ入賞した遊技球を検知したことを契機に図柄変動ゲームの始動条件を付与する始動入賞口検知手段と、前記大入賞口に入賞した遊技球を検知したことを契機に賞球払出条件を付与する大入賞口検知手段を備え、前記磁気センサは、前記始動入賞口及び前記大入賞口のうち全てを検知範囲とする第１範囲と、前記始動入賞口及び前記大入賞口のうち少なくとも一部を検知範囲とし、且つ、前記第１範囲よりも範囲が狭い第２範囲を、少なくとも設定可能に構成されているようにしてもよい。
【手続補正書】
【提出日】平成26年12月25日(2014.12.25)
【手続補正１】
【補正対象書類名】特許請求の範囲
【補正対象項目名】全文
【補正方法】変更
【補正の内容】
【特許請求の範囲】
【請求項１】
図柄変動ゲームを実行する表示装置を備え、前記図柄変動ゲームにて特定図柄を導出した際に特定遊技状態を付与する遊技機において、
前記特定図柄が導出される可能性があることを予告する複数種類の特定の予告演出を含む予告演出を前記図柄変動ゲームに伴わせるための制御を行う予告制御手段と、
前記特定の予告演出に対して規定ゲーム数を個々に設定する規定数設定手段と、
前記図柄変動ゲームの実行回数が、個々に設定された前記規定ゲーム数に達しているか否かを判定する予告判定手段と、備え、
前記予告制御手段は、前記予告判定手段が前記規定ゲーム数に達していると判定している前記特定の予告演出を前記規定ゲーム数に達していない場合よりも伴わせ難くすることを特徴とする遊技機。
【請求項２】
前記特定の予告演出に対して設定可能な前記規定ゲーム数の上限回数は、個々で異なるように構成された請求項１に記載の遊技機。
【請求項３】
前記規定数設定手段は、前記可能性の高低に関し、該可能性の低い前記特定の予告演出に対しては該可能性の高い前記特定の予告演出よりも前記規定ゲーム数として小さい回数を設定する請求項１又は請求項２に記載の遊技機。
【請求項４】
前記特定の予告演出には、前記可能性の高低に関し、該可能性の最も高い前記予告演出以外を含んで構成される請求項１〜請求項３のうちいずれか一項に記載の遊技機。
【手続補正２】
【補正対象書類名】明細書
【補正対象項目名】０００１
【補正方法】変更
【補正の内容】
【０００１】
本発明は、図柄変動ゲームにて特定図柄を導出した際に特定遊技状態を付与する遊技機に関するものである。
【手続補正３】
【補正対象書類名】明細書
【補正対象項目名】０００７
【補正方法】変更
【補正の内容】
【０００７】
上記課題を解決する遊技機は、図柄変動ゲームを実行する表示装置を備え、前記図柄変動ゲームにて特定図柄を導出した際に特定遊技状態を付与する遊技機において、前記特定図柄が導出される可能性があることを予告する複数種類の特定の予告演出を含む予告演出を前記図柄変動ゲームに伴わせるための制御を行う予告制御手段と、前記特定の予告演出に対して規定ゲーム数を個々に設定する規定数設定手段と、前記図柄変動ゲームの実行回数が、個々に設定された前記規定ゲーム数に達しているか否かを判定する予告判定手段と、備え、前記予告制御手段は、前記予告判定手段が前記規定ゲーム数に達していると判定している前記特定の予告演出を前記規定ゲーム数に達していない場合よりも伴わせ難くするようにした。
【手続補正４】
【補正対象書類名】明細書
【補正対象項目名】０００８
【補正方法】変更
【補正の内容】
【０００８】
上記遊技機について、前記特定の予告演出に対して設定可能な前記規定ゲーム数の上限回数は、個々で異なるように構成することが好ましい。
上記遊技機について、前記規定数設定手段は、前記可能性の高低に関し、該可能性の低い前記特定の予告演出に対しては該可能性の高い前記特定の予告演出よりも前記規定ゲーム数として小さい回数を設定することが好ましい。
【手続補正書】
【提出日】平成27年9月7日(2015.9.7)
【手続補正１】
【補正対象書類名】明細書
【補正対象項目名】０００７
【補正方法】変更
【補正の内容】
【０００７】
実施の形態のＸ線診断装置は、Ｘ線管装置と、Ｘ線検出器と、揺動機構と、画像生成手段と、表示制御手段とを備える。Ｘ線管装置は、被検体に対してＸ線を照射する。Ｘ線検出器は、前記Ｘ線管装置から照射され、前記被検体を通過したＸ線を検出する。揺動機構は、前記Ｘ線管装置によって前記被検体に対して照射されるＸ線の照射方向を揺動させる。画像生成手段は、前記揺動機構によって照射方向が揺動されながら前記被検体に対して照射され、当該被検体を通過したＸ線の情報を用いてＸ線画像を生成する。表示制御手段は、前記画像生成手段によって生成されたＸ線画像を所定の表示部にて表示させるように制御する。前記揺動機構は、前記Ｘ線画像に基づく所定のタイミングで前記Ｘ線の照射方向を揺動させる。
【手続補正２】
【補正対象書類名】特許請求の範囲
【補正対象項目名】全文
【補正方法】変更
【補正の内容】
【特許請求の範囲】
【請求項１】
被検体に対してＸ線を照射するＸ線管装置と、
前記Ｘ線管装置から照射され、前記被検体を通過したＸ線を検出するＸ線検出器と、
前記Ｘ線管装置によって前記被検体に対して照射されるＸ線の照射方向を揺動させる揺動機構と、
前記揺動機構によって照射方向が揺動されながら前記被検体に対して照射され、当該被検体を通過したＸ線の情報を用いてＸ線画像を生成する画像生成手段と、
前記画像生成手段によって生成されたＸ線画像を所定の表示部にて表示させるように制御する表示制御手段と、を備え、
前記揺動機構は、前記Ｘ線画像に基づく所定のタイミングで前記Ｘ線の照射方向を揺動させることを特徴とするＸ線診断装置。
【請求項２】
前記揺動機構は、前記Ｘ線管装置及び前記Ｘ線検出器を支持する支持部を３次元空間内で自在に動かすことで、前記Ｘ線の照射方向を揺動させることを特徴とする請求項１に記載のＸ線診断装置。
【請求項３】
前記揺動機構は、前記Ｘ線管装置によるＸ線の照射方向を変更することで、前記Ｘ線の照射方向を揺動させることを特徴とする請求項１に記載のＸ線診断装置。
【請求項４】
前記揺動機構は、前記Ｘ線管装置に含まれるＸ線管によるＸ線の照射方向を変更することで、前記Ｘ線の照射方向を揺動させることを特徴とする請求項１に記載のＸ線診断装置。
【請求項５】
前記画像生成手段によって生成されたＸ線画像に含まれる線状構造物の走行が不明であるか否かを判定する判定手段をさらに備え、
前記揺動機構は、前記判定手段によって前記線状構造物の走行が不明であると判定された場合に、前記Ｘ線の照射方向を揺動させることを特徴とする請求項１〜４のいずれか一つに記載のＸ線診断装置。
【請求項６】
前記判定手段は、前記Ｘ線画像に含まれる線状構造物内に挿入された医療用デバイスの位置に基づいて、当該医療用デバイスの動きを検出し、前記医療用デバイスの動きが停止した場合に、前記線状構造物の走行が不明であると判定することを特徴とする請求項５に記載のＸ線診断装置。
【請求項７】
Ｘ線の照射方向を揺動させるための入力操作を受付ける受付手段をさらに備え、
前記揺動機構は、前記受付手段が所定の入力操作を受付けた場合に、前記Ｘ線の照射方向を１周期分揺動させることを特徴とする請求項１〜６のいずれか一つに記載のＸ線診断装置。
【手続補正書】
【提出日】平成27年4月28日(2015.4.28)
【手続補正１】
【補正対象書類名】特許請求の範囲
【補正対象項目名】全文
【補正方法】変更
【補正の内容】
【特許請求の範囲】
【請求項１】
複数種類の図柄を複数列で変動させて図柄組み合わせを表示する図柄変動ゲームを表示する表示手段を備え、該表示手段には、表示された図柄組み合わせが有効となる有効ラインが定められた遊技機において、
前記図柄には、前記有効ライン上に表示された場合に大当りか否かの大当り抽選に当選したことを示す大当りの図柄組み合わせを構成し得る演出図柄と、前記有効ライン上に表示された場合であっても前記大当りの図柄組み合わせを構成し得ないブランク図柄と、を含み、
前記有効ライン上に前記ブランク図柄のみで構成される特殊図柄組み合わせが表示された場合、前記特殊図柄組み合わせを構成する前記ブランク図柄は特殊図柄に変化するときがあり、前記ブランク図柄が前記特殊図柄に変化することによって前記大当り抽選に当選する割合が示唆され、
前記特殊図柄は複数種類設定されており、
前記特殊図柄に変化することによって示唆される前記大当り抽選に当選する割合は、前記ブランク図柄が変化した特殊図柄の種類によって異なることを特徴とする遊技機。
【請求項２】
前記大当り抽選に当選する割合は、前記有効ライン上に前記特殊図柄組み合わせが規定回数連続して表示される際に前記ブランク図柄が前記特殊図柄に変化することによって示唆され、
前記特殊図柄の種類毎に、前記大当り抽選に当選する割合を示唆するために連続して表示される規定回数が異なることを特徴とする請求項１に記載の遊技機。
【請求項３】
前記有効ライン上に前記特殊図柄組み合わせが規定回数連続して表示される際に前記ブランク図柄が前記特殊図柄に変化することによって、前記大当り抽選の抽選確率が高確率に変動する確率変動状態の付与状態に関する示唆をさらに行うことができ、
前記特殊図柄には、前記大当り抽選に当選する割合を示唆する場合に用いる図柄と、前記確率変動状態の付与状態に関する示唆を行う場合に用いる図柄と、を含むことを特徴とする請求項１又は請求項２に記載の遊技機。
【請求項４】
複数種類の図柄を複数列で変動させて図柄組み合わせを表示する図柄変動ゲームを表示する表示手段を備え、該表示手段には、表示された図柄組み合わせが有効となる有効ラインが定められた遊技機において、
前記図柄には、前記有効ライン上に表示された場合に大当りか否かの大当り抽選に当選したことを示す大当りの図柄組み合わせを構成し得る演出図柄と、前記有効ライン上に表示された場合であっても前記大当りの図柄組み合わせを構成し得ないブランク図柄と、を含み、
前記有効ライン上に同一の演出図柄による図柄組み合わせが表示された際には、大当りが生起される一方で、前記有効ライン上に同一のブランク図柄による図柄組み合わせが規定回数連続して表示される際には、前記大当り抽選の抽選確率が高確率に変動する確率変動状態の付与状態に関する示唆が行われることを特徴とする遊技機。
【手続補正２】
【補正対象書類名】明細書
【補正対象項目名】０００７
【補正方法】変更
【補正の内容】
【０００７】
上記問題点を解決する遊技機は、複数種類の図柄を複数列で変動させて図柄組み合わせを表示する図柄変動ゲームを表示する表示手段を備え、該表示手段には、表示された図柄組み合わせが有効となる有効ラインが定められた遊技機において、前記図柄には、前記有効ライン上に表示された場合に大当りか否かの大当り抽選に当選したことを示す大当りの図柄組み合わせを構成し得る演出図柄と、前記有効ライン上に表示された場合であっても前記大当りの図柄組み合わせを構成し得ないブランク図柄と、を含み、前記有効ライン上に前記ブランク図柄のみで構成される特殊図柄組み合わせが表示された場合、前記特殊図柄組み合わせを構成する前記ブランク図柄は特殊図柄に変化するときがあり、前記ブランク図柄が前記特殊図柄に変化することによって前記大当り抽選に当選する割合が示唆され、前記特殊図柄は複数種類設定されており、前記特殊図柄に変化することによって示唆される前記大当り抽選に当選する割合は、前記ブランク図柄が変化した特殊図柄の種類によって異なることを要旨とする。
【手続補正３】
【補正対象書類名】明細書
【補正対象項目名】０００８
【補正方法】変更
【補正の内容】
【０００８】
上記遊技機について、前記大当り抽選に当選する割合は、前記有効ライン上に前記特殊図柄組み合わせが規定回数連続して表示される際に前記ブランク図柄が前記特殊図柄に変化することによって示唆され、前記特殊図柄の種類毎に、前記大当り抽選に当選する割合を示唆するために連続して表示される規定回数を異ならせてもよい。
【手続補正４】
【補正対象書類名】明細書
【補正対象項目名】０００９
【補正方法】変更
【補正の内容】
【０００９】
上記遊技機について、前記有効ライン上に前記特殊図柄組み合わせが規定回数連続して表示される際に前記ブランク図柄が前記特殊図柄に変化することによって、前記大当り抽選の抽選確率が高確率に変動する確率変動状態の付与状態に関する示唆をさらに行うことができ、前記特殊図柄には、前記大当り抽選に当選する割合を示唆する場合に用いる図柄と、前記確率変動状態の付与状態に関する示唆を行う場合に用いる図柄と、を含んでいてもよい。
【手続補正５】
【補正対象書類名】明細書
【補正対象項目名】００１０
【補正方法】変更
【補正の内容】
【００１０】
上記問題点を解決する遊技機は、複数種類の図柄を複数列で変動させて図柄組み合わせを表示する図柄変動ゲームを表示する表示手段を備え、該表示手段には、表示された図柄組み合わせが有効となる有効ラインが定められた遊技機において、前記図柄には、前記有効ライン上に同一の図柄で図柄組み合わせが表示された際に、大当りか否かの大当り抽選に当選したことを示す演出図柄と、前記有効ライン上に同一の図柄で図柄組み合わせが表示された際に、前記大当り抽選に当選したことを示さないブランク図柄と、を含み、前記有効ライン上に同一の演出図柄による図柄組み合わせが表示された際には、大当りが生起される一方で、前記有効ライン上に同一のブランク図柄による図柄組み合わせが規定回数連続して表示される際には、前記大当り抽選の抽選確率が高確率に変動する確率変動状態の付与状態に関する示唆が行われることを要旨とする。
【手続補正書】
【提出日】平成26年12月26日(2014.12.26)
【手続補正１】
【補正対象書類名】特許請求の範囲
【補正対象項目名】全文
【補正方法】変更
【補正の内容】
【特許請求の範囲】
【請求項１】
音声を出力する音声出力手段を備え、該音声出力手段から音声を出力させる音声演出を実行する遊技機において、
遊技者が操作可能な位置に設けられ、前記音声出力手段から出力される音声の音量を調節する音量調節手段と、
前記音声出力手段から出力される音声の音量をデフォルト値として設定可能な音量設定手段と、
遊技機に供給される電源電圧が遮断された場合に各種制御情報を記憶保持する記憶手段と、
特定条件の成立時に前記記憶手段の記憶内容を初期化する初期化手段と、
待機中の図柄変動ゲームが存在しない場合に生起される待機状態中にデモンストレーション演出を演出実行手段に実行させる演出制御手段と、を備え、
前記初期化手段による記憶内容の初期化が終了した後に、前記音声出力手段から音声が出力される一方で、前記初期化手段によって初期化されたことが報知されているときは、前記音量調節手段による音量の調整が反映されず、
前記デモンストレーション演出は、第１デモ演出と該第１デモ演出の終了に伴い開始される第２デモ演出から構成され、図柄変動ゲームの始動条件が成立するまで、前記第１デモ演出と前記第２デモ演出が交互に繰り返し実行されるようになっており、
前記第１デモ演出の実行中に前記音量調節手段による音量の調整が前記音声出力手段から出力される音声に反映されるようになっており、前記第１デモ演出の実行中に調節された音量は、前記第２デモ演出を介して再度前記第１デモ演出に移行した際に前記デフォルト値に戻されることを特徴とする遊技機。
【請求項２】
前記音量調節手段は、前記デフォルト値を基準として予め定められた範囲内で調節可能に構成されており、
調整可能な範囲には、前記デフォルト値を基準としたときに、当該デフォルト値よりも大きい上限値と当該デフォルト値よりも小さい下限値とによって定まる範囲を含む請求項１に記載の遊技機。
【手続補正２】
【補正対象書類名】明細書
【補正対象項目名】００１０
【補正方法】変更
【補正の内容】
【００１０】
上記問題点を解決する遊技機は、音声を出力する音声出力手段を備え、該音声出力手段から音声を出力させる音声演出を実行する遊技機において、遊技者が操作可能な位置に設けられ、前記音声出力手段から出力される音声の音量を調節する音量調節手段と、前記音声出力手段から出力される音声の音量をデフォルト値として設定可能な音量設定手段と、遊技機に供給される電源電圧が遮断された場合に各種制御情報を記憶保持する記憶手段と、特定条件の成立時に前記記憶手段の記憶内容を初期化する初期化手段と、待機中の図柄変動ゲームが存在しない場合に生起される待機状態中にデモンストレーション演出を演出実行手段に実行させる演出制御手段と、を備え、前記初期化手段による記憶内容の初期化が終了した後に、前記音声出力手段から音声が出力される一方で、前記初期化手段によって初期化されたことが報知されているときは、前記音量調節手段による音量の調整が反映されず、前記デモンストレーション演出は、第１デモ演出と該第１デモ演出の終了に伴い開始される第２デモ演出から構成され、図柄変動ゲームの始動条件が成立するまで、前記第１デモ演出と前記第２デモ演出が交互に繰り返し実行されるようになっており、前記第１デモ演出の実行中に前記音量調節手段による音量の調整が前記音声出力手段から出力される音声に反映されるようになっており、前記第１デモ演出の実行中に調節された音量は、前記第２デモ演出を介して再度前記第１デモ演出に移行した際に前記デフォルト値に戻されることを要旨とする。
【手続補正３】
【補正対象書類名】明細書
【補正対象項目名】００１１
【補正方法】変更
【補正の内容】
【００１１】
上記遊技機について、前記音量調節手段は、前記デフォルト値を基準として予め定められた範囲内で調節可能に構成されており、調整可能な範囲には、前記デフォルト値を基準としたときに、当該デフォルト値よりも大きい上限値と当該デフォルト値よりも小さい下限値とによって定まる範囲を含んでいる。
【手続補正４】
【補正対象書類名】明細書
【補正対象項目名】００１２
【補正方法】削除
【補正の内容】
【手続補正書】
【提出日】平成26年12月26日(2014.12.26)
【手続補正１】
【補正対象書類名】特許請求の範囲
【補正対象項目名】全文
【補正方法】変更
【補正の内容】
【特許請求の範囲】
【請求項１】
複数種類の図柄を変動させて行う図柄変動ゲームを表示する表示手段を備え、図柄変動ゲームが大当りとなる可能性を報知する予告演出が行われる遊技機において、
大当り抽選を行う抽選手段と、
前記大当り抽選に当選した場合に大当りの種類を特定する特定手段と、
前記特定手段によって特定された前記大当りの種類を特定可能な特定情報に基づき、前記予告演出の演出内容を定めた予告パターンを選択する予告パターン選択手段と、を備え、
前記予告パターン選択手段は、前記特定情報に基づいて定められた選択確率に従っていずれかの予告パターンを選択するようになっており、
同一の大当りを特定する特定情報が複数設定されているとともに、当該特定情報毎に少なくとも一部の予告パターンの選択確率を異ならせていることを特徴とする遊技機。
【請求項２】
図柄変動ゲームの変動内容を定めた変動パターンを選択する変動パターン選択手段と、
前記予告パターンを選択するための予告パターン振分テーブルと、を備え、
前記予告パターン振分テーブルは、特定情報毎に設定されるとともに、前記予告パターンの選択確率は前記予告パターン振分テーブル毎に異なるように設定されており、
前記予告パターン選択手段は、前記変動パターン選択手段によって選択された変動パターンに基づいて、特定情報に対応付けられた予告パターン振分テーブルにおいて同一系統の演出内容を特定する予告パターンが１又は複数対応付けられた予告パターン群を決定し、該予告パターン群から予告パターンを選択するようになっており、
同一の大当りを特定する複数の特定情報に対応付けられた各予告パターン振分テーブルにおいて、異なる予告パターン群を含むことを特徴とする請求項１に記載の遊技機。
【請求項３】
前記特定手段によって特定される大当りの種類には、通常大当りと該通常大当りよりも遊技者に付与される特典の有利度が大きい特定大当りと、を含み、
前記特定大当りを特定する特定情報に対応付けられた予告パターン振分テーブルと前記通常大当りを特定する一部の特定情報に対応付けられた予告パターン振分テーブルでは、特定予告パターン群を決定可能である一方、前記通常大当りを特定するその他の特定情報に対応付けられた予告パターン振分テーブルでは、前記特定予告パターン群が決定不可能であることを特徴とする請求項２に記載の遊技機。
【手続補正２】
【補正対象書類名】明細書
【補正対象項目名】０００６
【補正方法】変更
【補正の内容】
【０００６】
上記問題点を解決する遊技機は、複数種類の図柄を変動させて行う図柄変動ゲームを表示する表示手段を備え、図柄変動ゲームが大当りとなる可能性を報知する予告演出が行われる遊技機において、大当り抽選を行う抽選手段と、前記大当り抽選に当選した場合に大当りの種類を特定する特定手段と、前記特定手段によって特定された前記大当りの種類を特定可能な特定情報に基づき、前記予告演出の演出内容を定めた予告パターンを選択する予告パターン選択手段と、を備え、前記予告パターン選択手段は、前記特定情報に基づいて定められた選択確率に従っていずれかの予告パターンを選択するようになっており、同一の大当りを特定する特定情報が複数設定されているとともに、当該特定情報毎に少なくとも一部の予告パターンの選択確率を異ならせていることを要旨とする。
【手続補正３】
【補正対象書類名】明細書
【補正対象項目名】０００７
【補正方法】変更
【補正の内容】
【０００７】
上記遊技機について、図柄変動ゲームの変動内容を定めた変動パターンを選択する変動パターン選択手段と、前記予告パターンを選択するための予告パターン振分テーブルと、を備え、前記予告パターン振分テーブルは、特定情報毎に設定されるとともに、前記予告パターンの選択確率は前記予告パターン振分テーブル毎に異なるように設定されており、前記予告パターン選択手段は、前記変動パターン選択手段によって選択された変動パターンに基づいて、特定情報に対応付けられた予告パターン振分テーブルにおいて同一系統の演出内容を特定する予告パターンが１又は複数対応付けられた予告パターン群を決定し、該予告パターン群から予告パターンを選択するようになっており、同一の大当りを特定する複数の特定情報に対応付けられた各予告パターン振分テーブルにおいて、異なる予告パターン群を含むことが好ましい。
【手続補正４】
【補正対象書類名】明細書
【補正対象項目名】０００８
【補正方法】変更
【補正の内容】
【０００８】
上記遊技機について、前記特定手段によって特定される大当りの種類には、通常大当りと該通常大当りよりも遊技者に付与される特典の有利度が大きい特定大当りと、を含み、前記特定大当りを特定する特定情報に対応付けられた予告パターン振分テーブルと前記通常大当りを特定する一部の特定情報に対応付けられた予告パターン振分テーブルでは、特定予告パターン群を決定可能である一方、前記通常大当りを特定するその他の特定情報に対応付けられた予告パターン振分テーブルでは、前記特定予告パターン群が決定不可能であることが好ましい。
【手続補正書】
【提出日】平成27年4月21日(2015.4.21)
【手続補正１】
【補正対象書類名】特許請求の範囲
【補正対象項目名】全文
【補正方法】変更
【補正の内容】
【特許請求の範囲】
【請求項１】
被検者の両眼に対して暗順応を抑制するための光を呈示する暗順応抑制光呈示部と、
一方の眼に対する視覚検査が終了する前にもう一方の眼に対しても視標の呈示が行われるように、被検者の一方の眼に対して視標を呈示する視標呈示部と、
を有する視覚検査装置。
【請求項２】
前記視覚検査装置は視野計である請求項１に記載の視覚検査装置。
【請求項３】
前記暗順応抑制光呈示部は、両眼各々に同じ明るさの背景光を呈示するものである請求項１又は２に記載の視覚検査装置。
【請求項４】
前記暗順応抑制光呈示部及び前記視標呈示部は、被検者の頭部に装着可能な筐体に組み込まれている請求項１〜３のいずれかに記載の視覚検査装置。
【請求項５】
被検者の両眼に対して暗順応を抑制するための光を呈示する暗順応抑制光呈示部、及び、
一方の眼に対する視覚検査が終了する前にもう一方の眼に対しても視標の呈示が行われるように、被検者の一方の眼に対して視標を呈示する視標呈示部、
としてコンピュータ装置を機能させる視覚検査プログラム。
【請求項６】
前記視覚検査プログラムは視野計に用いられる請求項５に記載の視覚検査プログラム。
【請求項７】
前記暗順応抑制光呈示部は、両眼各々に同じ明るさの背景光を呈示するものである請求項５又は６に記載の視覚検査プログラム。